(57)【特許請求の範囲】
【請求項１】
建物の各部屋の情報を記憶する記憶手段と、前記建物の各部屋の情報に基づいて各部屋毎の熱損失係数と特定季節の日射取得係数を算出する算出手段と、この算出手段が算出した算出結果を表示する表示手段とを備え、
前記表示手段は、各部屋毎の熱損失係数と特定季節の日射取得係数を、一方の軸に熱損失係数を示し他方の軸に日射取得係数を示すグラフとして表示することを特徴とする建物の温熱環境シミュレーション装置。
【請求項２】
建物の各部屋の情報を記憶する記憶手段と、前記建物の各部屋の情報に基づいて各部屋毎の熱損失係数と特定季節の日射取得係数を算出する算出手段と、この算出手段が算出した算出結果を表示する表示手段とを備え、
前記表示手段は、予め設定した熱損失係数の標準値を示す標準線と、予め設定した日射取得係数の標準値を示す標準線を表示することを特徴とする建物の温熱環境シミュレーション装置。
【請求項３】
建物の各部屋の情報を記憶する記憶手段と、前記建物の各部屋の情報に基づいて各部屋毎の熱損失係数と特定季節の日射取得係数を算出する算出手段と、この算出手段が算出した算出結果を表示する表示手段とを備え、
前記演算手段は、各部屋毎の熱損失係数と特定季節の日射取得係数に基づいて各部屋の温度を予測し、この予測した各部屋の温度を前記表示手段が表示することを特徴とする建物の温熱環境シミュレーション装置。
【請求項４】
前記表示手段は、予め設定した熱損失係数の標準値を示す標準線と、予め設定した日射取得係数の標準値を示す標準線を表示することを特徴とする請求項１に記載の建物の温熱環境シミュレーション装置。
【請求項５】
前記演算手段は、各部屋毎の熱損失係数と特定季節の日射取得係数に基づいて各部屋の温度を予測し、この予測した各部屋の温度を前記表示手段が表示することを特徴とする請求項１または請求項４に記載の建物の温熱環境シミュレーション装置。
【請求項６】
建物の各部屋毎の熱損失係数と特定季節の日射取得係数を、一方の軸に熱損失係数を示し他方の軸に日射取得係数を示す書式上に表示することを特徴とする温熱環境表示方法。
【請求項７】
前記書式上に、予め設定した熱損失係数の標準値を示す標準線と、予め設定した日射取得係数の標準値を示す標準線を表示することを特徴とする請求項６に記載の温熱環境表示方法。
【発明の詳細な説明】
【技術分野】
【０００１】
この発明は、表示手段に表示された間取り図の建物の温熱環境をシミュレーションする建物の温熱環境シミュレーション装置と温熱環境表示方法とに関する。
【背景技術】
【０００２】
従来から、建物の性能評価である熱損失係数と夏期日射取得係数等を算出する建物の性能評価提示装置が知られている（特許文献１参照）。
【０００３】
かかる建物の性能評価提示装置は、建物の開口部データや建物の寸法データなどに基づいて建物の熱損失係数と夏期日射取得係数等を算出するものである。
【特許文献１】特開２００２−４４０３号公報
【発明の開示】
【発明が解決しようとする課題】
【０００４】
しかしながら、このような建物の性能評価提示装置にあっては、１つの建物の熱損失係数と夏期日射取得係数を求めるものであり、建物の各部屋ごとの温熱環境をシミュレーションすることはできないという問題がある。
【０００５】
この発明の目的は、簡単な操作で建物の各部屋ごとの温熱環境をシミュレーションすることのできる建物の温熱環境シミュレーション装置と、温熱環境表示方法とを提供することにある。
【課題を解決するための手段】
【０００６】
請求項１の発明は、建物の各部屋の情報を記憶する記憶手段と、前記建物の各部屋の情報に基づいて各部屋毎の熱損失係数と特定季節の日射取得係数を算出する算出手段と、この算出手段が算出した算出結果を表示する表示手段とを備え、
前記表示手段は、各部屋毎の熱損失係数と特定季節の日射取得係数を、一方の軸に熱損失係数を示し他方の軸に日射取得係数を示すグラフとして表示することを特徴とする。
【０００７】
請求項２の発明は、建物の各部屋の情報を記憶する記憶手段と、前記建物の各部屋の情報に基づいて各部屋毎の熱損失係数と特定季節の日射取得係数を算出する算出手段と、この算出手段が算出した算出結果を表示する表示手段とを備え、
前記表示手段は、予め設定した熱損失係数の標準値を示す標準線と、予め設定した日射取得係数の標準値を示す標準線を表示することを特徴とする。
【０００８】
請求項３の発明は、建物の各部屋の情報を記憶する記憶手段と、前記建物の各部屋の情報に基づいて各部屋毎の熱損失係数と特定季節の日射取得係数を算出する算出手段と、この算出手段が算出した算出結果を表示する表示手段とを備え、
前記演算手段は、各部屋毎の熱損失係数と特定季節の日射取得係数に基づいて各部屋の温度を予測し、この予測した各部屋の温度を前記表示手段が表示することを特徴とする。
【０００９】
請求項４の発明は、前記表示手段は、予め設定した熱損失係数の標準値を示す標準線と、予め設定した日射取得係数の標準値を示す標準線を表示することを特徴とする。
【００１０】
請求項５の発明は、前記演算手段は、各部屋毎の熱損失係数と特定季節の日射取得係数に基づいて各部屋の温度を予測し、この予測した各部屋の温度を前記表示手段が表示することを特徴とする。
【００１１】
請求項６の発明は、建物の各部屋毎の熱損失係数と特定季節の日射取得係数を、一方の軸に熱損失係数を示し他方の軸に日射取得係数を示す書式上に表示することを特徴とする。
【００１２】
請求項７の発明は、前記書式上に、予め設定した熱損失係数の標準値を示す標準線と、予め設定した日射取得係数の標準値を示す標準線を表示することを特徴とする。
【発明の効果】
【００１５】
この発明によれば、簡単な操作で建物の各部屋ごとの温熱環境をシミュレーションすることができる。
【発明を実施するための最良の形態】
【００１６】
以下、この発明に係る建物の温熱環境シミュレーション装置および温熱環境表示方法の実施の形態である実施例を図面に基づいて説明する。
【実施例】
【００１７】
［第１実施例］
図１は、建物の温熱環境シミュレーション装置１０の構成を示したブロック図である。この建物の温熱環境シミュレーション装置１０は、キーボードやマウスなどからなる入力手段１１と、液晶などの表示装置（表示手段）１２と、作成した建物の間取り図を記憶するメモリ１３と、建物の部屋の各種の大きさに応じた床,天井,外壁などのそれぞれの面積やそれぞれの大きさの部屋の気積や部屋に設ける各種の窓や引戸などの開口面積を記憶したメモリ（記憶手段）１４と、各種の窓や引戸，外壁，天井，床等の熱貫流率（単位面積、単位時間、単位温度差当たりで移動する熱量）やその窓や引戸，外壁，天井，床等の日射侵入率（輻射熱の透過率）を記憶したメモリ（記憶手段）１５と、窓や外壁等が設けられる方位に対応した方位係数や外気との接触度を示す係数を記憶したメモリ（記憶手段）１６と、Ｑ値である熱損失係数を演算する演算式やμ値である夏期日射取得係数を演算する演算式を記憶したメモリ（記憶手段）１７と、各種のキッチン，玄関，階段，トイレ，洗面所や各種の居室空間などやドア，引戸，窓等の建具の平面図を示すデータや家具等の平面図を示すデータを記憶したメモリ１８と、熱損失係数や夏期日射取得係数（特定季節の日射取得係数）などを演算して求めたり、メモリ１８に記憶された各種のデータに基づいて間取り図を作成するための演算処理を行ったりする演算制御装置（演算手段）２０等とを備えている。なお、Ｑ値の単位はＷ／ｍ2 ・Ｋであり、μ値は無次元、Ｋはケルビンである。
【００１８】
演算制御装置２０は、下記に示す演算式（１），（２）によってＱ値やμ値を求める。
【００１９】
Ｑ＝（Σｋi・Ａi・Ｈi＋０.３５ｘＶ）／Ｓ   …（１）
ただし、iは１からｎまでの整数であり、ｋは壁や床や開口等の熱貫流率で、材質などによって異なり予め求められている値である。Ａは壁や床や開口等の面積で予め求められている値である。Ｈは外気との接触度を示すものであり、外気に接触する外壁や開口などは「１」、床は「０.７」、隣の部屋に接触する壁は完全断熱として捉えその値は「０」である。ｘは換気回数であり、通常「０.５」である。Ｖは室の容積（気積）、Ｓは室の床面積である。
【００２０】
μ＝（Σηi・Ａi・ν）／Ｓ       …（２）
ただし、ηは日射侵入率で予め求められている値である。νは方位係数であり、方位によって予め定められた値である。
【００２１】
この方位係数νは、例えば、図１３の表に示すように、予め定めた６つの地域毎に方位によって定めた値であり、夏期方位係数と冬期方位係数とがある。図３の表の方位係数νは、IV地域の夏期方位係数を示す。
【００２２】
なお、この実施例で作成される間取り図の建物は、建物ユニットで構成されるものであり、窓や引戸等の開口面積や各部屋の外壁，天井，床等の面積や部屋の気積等はすべて既知である。また、窓や引戸，外壁，天井，床等の材質も定められているので、熱貫流率ｋや日射侵入率ηも既知であり、方位係数も既知である。これら既知のデータが各メモリ１４〜１６に記憶されているものである。
［動  作］
次に、上記のように構成される建物の温熱環境シミュレーション装置１０の動作について説明する。
【００２３】
先ず、キーボードやマウスを操作して表示装置１２の表示画面Ｇに例えば図２に示すように所望の間取り図を作成する。この間取り図は、既にメモリ１３に記憶されている間取り図を読み出すものであってもよい。
【００２４】
温熱環境シミュレーションを行う場合には、これを実行するボタン（図示せず）をクリックする。
【００２５】
このクリックにより演算制御装置２０は、表示画面に表示された間取り図の各部屋のデータ（情報）に対応して、各メモリ１４〜１６に記憶されている各部屋の窓や引戸等の開口面積、外壁，天井，床等の面積、各部屋の気積、その窓や引戸，外壁，天井，床等の熱貫流率およびその日射侵入率、窓や外壁等の方位係数や外気との接触度を示す係数等に基づいて、メモリ１７に記憶された演算式により、温熱環境を示す熱損失係数（Ｑ値）と夏期日射取得係数（μ値）を演算して求める。
【００２６】
例えば、図２に示す１階の間取り図のＬＤＫの部屋３０のＱ値およびν値の求め方の一例を以下に説明する。
【００２７】
図３の表に示すように、部屋３０の床面積と気積と、部屋３０の外壁３１〜３４の面積と、北の窓４０の開口面積と、東の勝手口４１，引戸４２，４３のそれぞれの開口面積と、南の引戸４４の開口面積と、部屋の天井の面積とがメモリ１４に記憶されており、これら必要な面積を部屋３０のデータ（部屋３０を構成した各種のデータ）に基づいて演算制御装置２０がメモリ１４から読み出し、これら読み出した各面積のデータを図示しない内蔵メモリに記憶させる。なお、天井の面積は、２階の建物からはみ出る部分の面積である。
【００２８】
さらに、演算制御装置２０は、メモリ１５から天井，外壁３１〜３４，窓４０，勝手口４１，引戸４２，４３，４４等の熱貫流率ｋiや日射侵入率ηを読み出して内蔵メモリに記憶させ、部屋３０のデータに基づいてメモリ１６から係数Ｈiや方位係数νを読み出して内蔵メモリに記憶させる。
【００２９】
演算制御装置２０は、内蔵メモリに記憶されたそれぞれのデータに基づいて、天井，外壁３１〜３４，床，各開口４０〜４４のＡi・ｋi・Ｈiを求めるとともに、天井，外壁３１〜３４，各開口４０〜４４のＡi・ν・ηを求める。
【００３０】
そして、演算制御装置２０は、メモリ１７に記憶した演算式（１）に基づいて部屋３０のＱ値である熱損失係数と、演算式（２）に基づいて部屋３０のμ値である夏期日射取得係数を求める。この演算で求めた熱損失係数は３.０１、夏期日射取得係数は０.０７８となる。
【００３１】
なお、図３の表に示す「１４.３６」の値は演算式（１）の０.３５ｘＶの値であり、「９７.００」の値は演算式（１）のΣｋi・Ａi・Ｈiの値である。
【００３２】
同様にして、演算制御装置２０は、各部屋５０〜５４の熱損失係数および夏期日射取得係数を求めていく。すなわち、各部屋３０，５０〜５４ごとに温熱環境をシミュレーションしていくことになる。このシミュレーションした結果の一例を図４の表に示す。なお、図４の表に示す「ＬＤＫ」のＱ値およびμ値は、図３の表に示す「ＬＤＫ」のＱ値およびμ値と異なる例を示した。
【００３３】
このシミュレーションした結果は、例えば図５に示すように、温熱環境表示方法の一例として、横軸にＱ値、縦軸にμ値を表すグラフ上に、各部屋３０，５０〜５４の熱損失係数Ｑおよび夏期日射取得係数μの値をプロットしたグラフＧ１が例えば表示画面Ｇの下に表示される。この場合、例えば間取り図を縮小したり、この間取り図の代わりにグラフＧ１のみを表示したりする。
【００３４】
このグラフＧ１から、各部屋３０，５０〜５４の温熱環境すなわち熱損失係数Ｑおよび夏期日射取得係数μの状態が分かることになる。
【００３５】
ここで、各部屋３０，５０〜５４のＱ値，μ値のバラツキが小さいほうが、各部屋３０，５０〜５４の温熱環境は一定であることを示し、各部屋３０，５０〜５４を移動した際に一定の体感を得ることができ好ましいものとなる。また、Ｑ値が大きいほど熱損失が大きく冷え易い部屋を示し、μ値が大きいほど入射熱が多く、熱ごもりし易く暑くなり易い部屋を示す。
【００３６】
したがって、Ｑ値が例えば「３.０」以下、μ値が例えば「０.１０」以下の範囲内に入っていれば、温熱環境のよい住み心地のよい部屋となり、さらに、Ｑ値，μ値のバラツキが小さいほど温熱環境が一定であることを示すことになる。そして、これらのことが図５に示すグラフＧ１から一目で分かることになる。
【００３７】
また、各部屋ごとの温度を予測する場合には、表示装置１２の表示画面に表示されている予測温度ボタン（図示せず）をクリックすると、各部屋３０，５０〜５４の冬期および夏期の予測温度が求められて、表示画面に表示される。
【００３８】
この予測温度は、Ｑ値およびμ値から求めるものであり、下記の（３）式により冬期の日平均内外温度差（１日の内外温度差の平均値）を求め、下記の（４）式により夏期の日平均内外温度差を求める。
【００３９】
Δｔ［Ｋ］＝熱取得［Ｗ／ｍ2］／Ｑ     …（３）
熱取得は、晴天日の日平均のエネルギーであり、例えば２０［Ｗ／ｍ2］である。          
【００４０】
Δｔ［Ｋ］＝日射受熱［Ｗ／ｍ2］×μ／Ｑ     …（４）
日射受熱は、夏期の平均的な日射のエネルギーであり、予め求めておく。
【００４１】
（３）式，（４）式から求めた温度差Δｔ［Ｋ］に、外気の温度を加算することにより、各部屋３０，５０〜５４の冬期および夏期の予測温度を求める。
【００４２】
このように、各部屋３０，５０〜５４の冬期および夏期の温度をシミュレーションすることができるので、顧客の要望に応じたよりよい建物を提供することができることになる。
【００４３】
ところで、（３）式および（４）式の演算式はメモリ１７に記憶させておくものであり、日平均のエネルギーや平均的な日射のエネルギーの値は例えばメモリ１６等に記憶させておき、演算制御装置２０がメモリ１６，１７に記憶されたデータに基づいて各部屋３０，５０〜５４の冬期および夏期の予測温度を求めていくものである。
【００４４】
このように、ボタンをクリックするだけで、演算制御装置２０が表示画面Ｇ上に表示された間取り図の各部屋３０，５０〜５４ごとのＱ値およびμ値や温度、すなわち温熱環境をシミュレーションしていくものであるから、その操作はいたって簡単である。
［第２実施例］
図６は第２実施例の建物の温熱環境シミュレーション装置１００を示したものである。
【００４５】
この第２実施例では、メモリ１３〜１８と演算制御装置２０（図１参照）をサーバ１０１に設け、各家庭のパーソナルコンピュータ１０２によって温熱環境を第１実施例と同様にＱ値，μ値や各部屋の温度をシミュレーションできるようにしたものである。
【００４６】
上記の第１，第２実施例は、いずれも縦軸にμ値、横軸にＱ値をとっているが、この逆であってもよく、また、Ｑ値およびμ値を求めているが、どちらか一方だけを求めて、表示画面Ｇに表示するようにしてもよい。
［第３実施例］
図７に示す表は、図３の表に示したものの他に、冬期における天井，外壁３１〜３４，各開口４０〜４４の方位係数ν（ｗ）を示したものであり、これら方位係数ν（ｗ）は例えばメモリ１６（図１参照）に記憶させておく。
【００４７】
この第３実施例では、第１実施例と同様に、演算制御装置２０（図１参照）によって、夏期および冬期の方位係数ν（ｗ）をメモリ１６から読み出して天井，外壁３１〜３４，各開口４０〜４４の夏期のＡi・ν（ｓ）・ηと冬期のＡi・ν（ｗ）・ηを求める。そして、演算制御装置２０は、メモリ１７に記憶した演算式（１）に基づいて部屋３０のＱ値である熱損失係数と、演算式（２）に基づいて部屋３０の夏期日射取得係数（特定季節の日射取得係数）μ（ｓ）と冬期日射取得係数（特定季節の日射取得係数）μ（ｗ）を求める。
【００４８】
ここで、μ値は一般に夏期日射取得係数を示すが、ここでは冬期日射取得係数も示すもとのとして扱う。
【００４９】
同様にして、演算制御装置２０は、各部屋５０〜５４（図２参照）の熱損失係数および夏期日射取得係数μ（ｓ）と冬期日射取得係数μ（ｗ）を求めていく。
【００５０】
図８および図９に各部屋３０、５０〜５４の熱損失係数および夏期日射取得係数μ（ｓ）と、各部屋３０、５０〜５４の熱損失係数および冬期日射取得係数μ（ｗ）とを求めた結果の一例の表を示す。
【００５１】
図１０および図１１は、図８に示す熱損失係数および夏期日射取得係数μ（ｓ）の結果と、図９に示す熱損失係数および冬期日射取得係数μ（ｗ）の結果を、温熱環境表示方法の一例として、グラフＧ２,Ｇ３として表示したものである。これらグラフは、横軸にＱ値、縦軸にμ値をとり、各部屋３０，５０〜５４の熱損失係数Ｑおよび夏期日射取得係数μ（ｓ）や冬期日射取得係数μ（ｗ）の値をプロットして表示したものである。これらグラフも第１実施例と同様に表示画面Ｇに表示する。
【００５２】
これらグラフＧ２,Ｇ３から、各部屋３０，５０〜５４の温熱環境すなわち熱損失係数Ｑおよび夏期日射取得係数μ（ｓ）の状態と、熱損失係数Ｑおよび冬期日射取得係数μ（ｗ）の状態とが分かることになる。
【００５３】
そして、熱損失係数Ｑと夏期日射取得係数μ（ｓ）および冬期日射取得係数μ（ｗ）に基づいて、例えば、部屋３０の南の開口４４の戸をシングルサッシにしたときの部屋３０の冬期の予測温度と夏期の予測温度とを求めて画面Ｇに表示し、さらにシングルサッシからアルミペアサッシ、アルプラサッシ、樹脂サッシへと替えたときの部屋３０の冬期の平均室温と夏期の予測平均室温とを求めて、図１２に示すように画面Ｇ４に表示する。
【００５４】
このように、シングルサッシ、アルミペアサッシ、アルプラサッシ、樹脂サッシへと替えたときの部屋３０の冬期の予測平均室温と夏期の予測平均室温とを画面Ｇ４に表示することにより、客はサッシの種類の選択がし易くなる。他の部屋についても同様に表示する。
【００５５】
なお、各部屋の平均室温は、メモリ１５に記憶されたシングルサッシ,アルミペアサッシ,アルプラサッシ,樹脂サッシ等の日射侵入率と、熱損失係数Ｑと夏期日射取得係数μ（ｓ）および冬期日射取得係数μ（ｗ）を基にして、例えば上記（４）式などにより求める。
【００５６】
この第３実施例では、熱損失係数Ｑと夏期日射取得係数μ（ｓ）および冬期日射取得係数μ（ｗ）を求めているが、熱損失係数Ｑと冬期日射取得係数μ（ｗ）を求めてこれを表示するようにしてもよい。
［第４実施例］
図１４に示す表は、標準的な部屋を設定した場合の熱損失係数Ｑと夏期日射取得係数μ（ｓ）および冬期日射取得係数μ（ｗ）を示したものである。
【００５７】
標準的な部屋は、床面積＝３０ｍ2（南６ｍ×東５ｍ）、
天井高＝２.４ｍ
開口率（開口面積/床面積）＝３０％
開口の方位比率（開口比率、南面積：他面積）＝１：１
２Ｆの部屋（天井が熱境界）
と設定したものである。そして、図１４の表の「Ｃａｓｅ５」は、次世代省エネ基準に規定される仕様の場合の熱損失係数Ｑと夏期日射取得係数μ（ｓ）および冬期日射取得係数μ（ｗ）の標準値を示す。なお、他の「Ｃａｓｅ１〜４，６」はその他のそれぞれ異なる仕様の場合の熱損失係数Ｑと夏期日射取得係数μ（ｓ）および冬期日射取得係数μ（ｗ）の値の一例をそれぞれ示す。
【００５８】
そして、「Ｃａｓｅ５」の場合の熱損失係数Ｑと夏期日射取得係数μ（ｓ）および冬期日射取得係数μ（ｗ）の標準値を示す標準線Ｌ１〜Ｌ３を図１５および図１６に示すように、表示装置１２（図１参照）の画面Ｇ２，Ｇ３に表示する。
【００５９】
この画面Ｇ２，Ｇ３の標準線Ｌ１から右側へいくほど保温性が弱くなることを示し、標準線Ｌ１から左へいくほど保温性が強くなることを示す。また、画面Ｇ２の標準線Ｌ２より上にいくほど日射（暑さ）が大きくなることを示し、標準線Ｌ２より下にいくほど日射（暑さ）が小さくなることを示す。同様に、画面Ｇ３の標準線Ｌ３より上にいくほど日射（暖かさ）が大きくなることを示し、標準線Ｌ２より下にいくほど日射（暖かさ）が小さくなることを示す。
【００６０】
また、標準線Ｌ１，Ｌ２によって画面Ｇ２をＧ２ａ〜Ｇ２ｄの４つの領域に分け、同様に標準線Ｌ１，Ｌ３によって画面Ｇ３をＧ３ａ〜Ｇ３ｄの４つの領域に分ける。
【００６１】
そして、画面Ｇ２の領域Ｇ２ａにある部屋は、「日中の日射を遮る工夫が必要です。」などのコメントを画面Ｇ２の領域Ｇ２ａ上に表示する。また、画面Ｇ２の領域Ｇ２ｂにある部屋は、「日中の日射を遮る工夫が必要です。」などのコメントを画面Ｇ２の領域Ｇ２ｂ上に表示する。
【００６２】
また、画面Ｇ２の領域Ｇ２ｃにある部屋は、「涼しく過ごすことができます。」などのコメントを画面Ｇ２の領域Ｇ２ｃ上に表示する。
【００６３】
画面Ｇ２の領域Ｇ２ｄにある部屋は、「積極的に窓を開けることが必要です。」などのコメントを画面Ｇ２の領域Ｇ２ｄ上に表示する。
【００６４】
同様に、画面Ｇ３の領域Ｇ３ａにある部屋は、「暖かく過ごすことができます。」などのコメントを画面Ｇ３の領域Ｇ３ａ上に表示する。画面Ｇ３の領域Ｇ３ｂ上にある部屋は、「夜室内の熱を逃がさない工夫が必要です。」などのコメントを画面Ｇ３の領域Ｇ３ｂ上に表示する。
【００６５】
画面Ｇ３の領域Ｇ３ｃ上にある部屋は、「夜室内の熱を逃がさない工夫が必要です。」などのコメントを画面Ｇ３の領域Ｇ３ｃ上に表示する。画面Ｇ３の領域Ｇ３ｄ上にある部屋は、「日射を取り込む工夫が必要です。」などのコメントを画面Ｇ３の領域Ｇ３ｄ上に表示する。
【００６６】
この第４実施例によれば、画面Ｇ２，Ｇ３に標準線Ｌ１〜Ｌ３を表示してその画面Ｇ２，Ｇ３を４つの領域に分けたものであるから、各部屋がどの領域にあるかが分かり、夏は暑いのか涼しいのかや、冬は寒いのか暖かいのかが分かる。また、例えば部屋の床や壁などの仕上材等の材質を選択する場合にも、どの材質を選択すれば快適な居住空間を得ることができるかが分かり、快適な居住空間を得ることのできる住戸のプランを顧客に提案することができる。
【００６７】
上記実施例は、いずれも表示装置１２の表示画面Ｇに各部屋のＱ値やμ値等を表示するようにしているが、例えば、横軸にＱ値、縦軸にμ値を表すグラフ用紙（書式）上に各部屋のＱ値，μ値などを印字して提示するようにしてもよい。
【００６８】
この発明は、第１〜第４実施例に限定されるものではなく、種々設計変更できることは勿論である。
【図面の簡単な説明】
【００６９】
【図１】この発明に温熱環境シミュレーション装置の構成を示したブロック図である。
【図２】表示画面上に表示された間取り図を示した説明図である。
【図３】部屋の床面積,外壁面積,各開口面積と、熱貫通率,日射侵入率,方位係数等との対応関係を示した表である。
【図４】各部屋のＱ値およびμ値を示した表である。
【図５】各部屋のＱ値およびμ値を示したグラフである。
【図６】第２実施例の構成を示したブロック図である。
【図７】第３実施例の部屋の床面積,外壁面積,各開口面積と、熱貫流率,日射侵入率,方位係数等との対応関係を示した表である。
【図８】各部屋のＱ値と夏期のμ値とを示した表である。
【図９】各部屋のＱ値と冬期のμ値とを示した表である。
【図１０】図８に示す表をグラフにしたものである。
【図１１】図９に示す表をグラフにしたものである。
【図１２】各種のサッシに対応した部屋の冬期の平均室温と夏期の平均室温とを示した表である。
【図１３】６つの各地域の夏期方位係数と冬期方位係数とを示した表である。
【図１４】標準的な部屋をそれぞれ異なる仕様で仕上げた場合のＱ値とμ値をそれぞれ示した表である。
【図１５】標準的な部屋のＱ値，μ値の標準値を示す標準線を図１０のグラフ上に示したものである。
【図１６】標準的な部屋のＱ値，μ値の標準値を示す標準線を図１１のグラフ上に示したものである。
【符号の説明】
【００７０】
１０        温熱環境シミュレーション装置
１２        表示装置（表示手段）
１３〜１８  メモリ（記憶手段）
２０        演算制御装置（演算手段）
【図１】
0005123808.tif 000002
【図２】
0005123808.tif 000003
【図３】
0005123808.tif 000004
【図４】
0005123808.tif 000005
【図５】
0005123808.tif 000006
【図６】
0005123808.tif 000007
【図７】
0005123808.tif 000008
【図８】
0005123808.tif 000009
【図９】
0005123808.tif 000010
【図１０】
0005123808.tif 000011
【図１１】
0005123808.tif 000012
【図１２】
0005123808.tif 000013
【図１３】
0005123808.tif 000014
【図１４】
0005123808.tif 000015
【図１５】
0005123808.tif 000016
【図１６】
0005123808.tif 000017